(57)【要約】【課題】ホストコンピュータがなくても、フラッシュメモリカードのデジタルデータをバックアップできるポータブル型データバックアップ装置を提供すること。【解決手段】本発明のポータブル型データバックアップ装置１０は、フラッシュメモリカード２１からのデジタルデータを読み取るフラッシュメモリ読み取り手段２０と、制御信号を生成する入力手段３０と、前記デジタルデータを記憶するバックアップ手段４０と、前記制御信号を受信した後、フラッシュメモリ読み取り手段がフラッシュメモリカードからのデジタルデータを読み取り、それをバックアップ装置に記憶するように制御する制御手段５０と、を備えたことを特徴とする。【選択図】　　　図１
2004062850.tif 000002
【特許請求の範囲】
【請求項１】
ホストコンピュータがなくても、フラッシュメモリカードのデジタルデータをバックアップが可能なポータブル型データバックアップ装置であって、
フラッシュメモリカードからのデジタルデータを読み取るフラッシュメモリ読み取り手段と、
制御信号を生成する入力手段と、
前記デジタルデータを記憶するバックアップ手段と、
前記制御信号を受信した後、前記フラッシュメモリ読み取り手段が前記フラッシュメモリカードから前記デジタルデータを読み取り、それを前記バックアップ手段に記憶するように制御する制御手段と、
を備えたことを特徴とするポータブル型データバックアップ装置。
【請求項２】
前記制御手段に結合され、前記フラッシュメモリカード或いは前記バックアップ手段に記憶された前記デジタルデータを再生する再生手段を備えた請求項１に記載の装置。
【請求項３】
前記フラッシュメモリカード或いは前記バックアップ手段に記憶された前記デジタルデータを制御するリモートコントロール手段を備えた請求項２に記載の装置。
【請求項４】
前記再生手段は、
前記制御手段に結合され、前記フラッシュメモリカード及びバックアップ手段に記憶された前記デジタルデータをデコードするマルチメディアデコーダと、
前記マルチメディアデコーダに結合され、前記マルチメディアデコーダから前記デコードされるデジタルデータを、イメージデータにエンコードするイメージエンコーダと、
を有する請求項２に記載の装置。
【請求項５】
前記マルチメディアデコーダは、ＲＳ２３２インターフェースにより、前記制御手段に結合されている請求項４に記載の装置。
【請求項６】
外部のホストコンピュータに接続されるＵＳＢインターフェースを備える請求項１に記載の装置。
【請求項７】
前記制御手段は、前記フラッシュメモリカードから前記デジタルデータを読み取り、ＭＰＥＧ形式に転換し、前記バックアップ手段に記憶する請求項１に記載の装置。
【請求項８】
前記制御手段は、バックグラウンドオーディオ効果を、ＭＰＥＧ形式に転換したデジタルデータに加える請求項７に記載の装置。
【請求項９】
前記デジタルデータは、オーディオデータ、ＭＰＥＧデータ、ＭＰ３データ、ＪＰＧデータのいずれかである請求項１に記載の装置。
【請求項１０】
前記フラッシュメモリカードは、コンパクトフラッシュメモリカード、マルチメディアカード、ＳＤメモリカード、スマートメモリカード、メモリスティック或いはマイクロドライブカードのいずれかである請求項１に記載の装置。
【請求項１１】
前記バックアップ手段は、ＣＤ書き込み装置、ハードディスク、ＤＶＤライタ、コンボドライバのいずれかである請求項１に記載の装置。
【請求項１２】
前記制御手段は、ＩＤＥインターフェースにより前記バックアップ手段に結合されている請求項１に記載の装置。
【発明の詳細な説明】
【０００１】
【発明の属する技術分野】
この発明は、ポータブル型のデータバックアップ装置に関するものである。
【０００２】
【従来の技術】
フラッシュメモリは、一般に、デジタルカメラ、ノート型パソコン、ＭＰ３プレーヤ、ＰＤＡ等に応用されているが、価格が非常に高い。家庭用電化製品は、メモリ空間がないとき、その電化製品は必要なデータを記憶することができない。このようなとき、メモリに必要なデータをバックアップしなければ、新しいデータは記憶できない。例えば、デジタルカメラのメモリ空間が一杯の場合、ユーザーはデータを、メモリカード読み取り機或いはＰＣカード等の読取装置を備えるホストコンピュータにより、バックアップしなければならない。
【０００３】
【発明が解決しようとする課題】
前記のように、従来は、ホストコンピュータがないと、大量のデータをバックアップできなかった。しかも該状況下では、ユーザーはいくつかのメモリカードを必要とするが、メモリカード自体も高価であった。
【０００４】
そこでこの発明は、前記のような従来のものが有する問題点を解決し、ホストコンピュータがなくても、フラッシュメモリカードのデジタルデータをバックアップが可能なポータブル型データバックアップ装置を提供することを目的とする。
【０００５】
【課題を解決するための手段】
前記目的を達成するために、本発明のポータブル型データバックアップ装置は、フラッシュメモリカードからデジタルデータを読み取るフラッシュメモリ読み取り手段と、制御信号を生成する入力手段と、前記デジタルデータを記憶するバックアップ手段と、前記制御信号を受信した後、フラッシュメモリ読み取り手段がフラッシュメモリカードからデジタルデータを読み取り、それをバックアップ手段に記憶するように制御する制御手段と、を備えたことを特徴とする。
【０００６】
本発明のポータブル型データバックアップ装置においては、フラッシュメモリカード或いはバックアップ手段に記憶されたデジタルデータを再生する再生手段を備えてもよい。再生手段には表示機能をもたせてもよい。
【０００７】
【発明の実施の形態】
上述した本発明の目的、特徴、及び長所を一層明瞭にするため、以下に本発明の好ましい実施の形態を挙げ、図を参照にしながらさらに詳しく説明する。
【０００８】
図１は本発明のポータブル型データバックアップ装置を示すブロック図であり、ポータブル型データバックアップ装置１０は、フラッシュメモリカード２１からデータを読み取るフラッシュメモリ読み取り手段２０と、イネーブル制御信号を生成する入力手段３０と、デジタルデータを記憶するバックアップ手段４０と、前記制御信号を受信した後、フラッシュメモリ読み取り手段２０がフラッシュメモリカード２１からデジタルデータを読み取り、それをバックアップ手段４０に記憶するように制御する制御手段５０と、からなる。
【０００９】
フラッシュメモリ読み取り手段２０は、１つ或いはそれ以上のフラッシュメモリカードを受け入れる、シングル或いはマルチポートフラッシュメモリ読み取り手段からなり、記憶されたデジタルデータを読み取る。フラッシュメモリカード２１は、コンパクトフラッシュメモリカード、マルチメディアカード、ＳＤメモリカード、スマートメモリカード、マイクロドライブカード等からなり、オーディオファイル、ＭＰＥＧファイル、ＭＰ３音楽ファイル或いはＪＰＧフォトファイル等のデジタルデータを記憶する。
【００１０】
本発明の具体例によると、入力手段３０は、キーパッドで、イネーブル制御信号を生成する。バックアップ手段４０は、ＩＤＥインターフェース（ｉｎｔｅｇｒａｔｅｄｄｒｉｖｅ　ｅｌｅｃｔｒｏｎｉｃｓ　ｉｎｔｅｒｆａｃｅ、ＩＤＥ　ｉｎｔｅｒｆａｃｅ）を備えるＣＤ−ＲＯＭ、ＣＤ−Ｒ或いはＲＷ、ハードディスク、ＤＶＤライター或いはコンボドライブ等からなる。制御手段５０は、フラッシュメモリ読み取り手段２０が、ホストコンピュータ（パソコン）なしでも、フラッシュメモリカード２１に記憶されたデジタルデータを読み取り、そのデジタルデータをバックアップ手段４０に直接記憶するマイクロプロセッサを有している。
【００１１】
データバックアップ装置１０は、制御手段５０に結合され、フラッシュメモリカード２１或いはバックアップ手段４０に記憶されたデジタルデータを再生する再生手段６０を備えている。再生手段６０は表示機能も備えている。再生手段６０は、マルチメディアデコーダ６４とイメージエンコーダ６２を有し、マルチメディアデコーダ６４は、ＲＳインターフェース２３２により、制御手段５０に結合されている。例えば、マルチメディアデコーダ６４は、フラッシュメモリカード２１或いはバックアップ手段４１に記憶されたＭＰ３音楽ファイルをオーディオ信号にデコードし、スピーカなどに出力する。データバックアップ装置１０は、更に追記型メディアプレーヤ或いはＭＰ３プレーヤとして、音楽ファイルを再生或いは表示する。
【００１２】
イメージエンコーダ６２は、マルチメディアデコーダ６４に結合され、デコードされたデジタルデータをエンコードし、ディスプレイに出力する。例えば、イメージエンコーダ６２は、マルチメディアデコーダ６４によりビデオ信号にデコードされたＭＰＥＧファイル或いはＪＰＧファイルを、ＬＣＤ、ＴＶ或いはＣＲＴモニタにエンコードする。
【００１３】
データバックアップ装置１０は、リモートコントロール手段７０と、該リモートコントロール手段に結合されたＵＳＢインターフェース（ｕｎｉｖｅｒｓａｌ　ｓｅｒｉａｌｂｕｓ　ｉｎｔｅｒｆａｃｅ、ＵＳＢ　ｉｎｔｅｒｆａｃｅ）も備える。データバックアップ装置１０は、前記ＵＳＢインターフェースにより、外部のホストコンピュータに接続され、外部のホストコンピュータはフラッシュメモリカード２１或いはバックアップ手段４０に記憶されたデジタルデータの読み書きができる。リモートコントロール手段７０は、離れたところから再生手段６０を制御して、フラッシュメモリカード２１或いはバックアップ手段４０に記憶されたデジタルデータを再生、表示する。
【００１４】
データバックアップ装置１０において、フラッシュメモリカード２１がフラッシュメモリ読み取り手段２０に挿入されたとき、ユーザーが入力手段３０によりイネーブル制御信号を入力する場合、制御手段５０は、イネーブル制御信号に従って、フラッシュメモリカード２１からデジタルデータを読み取り、バックアップ手段４０内に書き込む。これにより、データバックアップ装置１０は、ユーザーがホストコンピュータを使用しないときでも、記憶可能メディア内のフラッシュメモリに記憶されたデジタルデータをバックアップすることができる。更に、コンピュータ装置或いは余分なフラッシュメモリカードなしでも、フラッシュメモリカードに記憶されたデジタルデータをバックアップすることができ、これによりユーザーの利便性を向上することができる。更に、制御手段５０からのイネーブル制御信号は再生手段６０が記憶したファイルを再生或いは表示できるようにする。
【００１５】
制御手段５０は、ＪＰＧファイルとオーディオファイルの整合をＭＰＥＧフォームにする。その上、制御手段５０はバックグラウンドサウンドをオーディオファイル内で整合することができる。制御手段５０は更に、所定の方式で整合ファイルを表示することができる。オーディオファイルが、一時に表示されるように設定される場合、イメージはリモートコントロール手段７０により切り替えられる。制御手段５０は更に、連続して表示されたファイル間で切り替え時間を設定することができる。
【００１６】
ＪＰＧイメージファイルとオーディオファイルを、ＭＰＥＧ形式に整合し、コンピュータ装置がなくても、新しいファイルを追記型メディアにバックアップし、書き込まれたファイルは公知の方法で再生或いは表示することができる。
【００１７】
本発明では好ましい実施の形態を前述の通り開示したが、これらは決して本発明に限定するものではなく、当該技術を熟知する者なら誰でも、本発明の精神と領域を脱しない範囲内で各種の変更や修正を加えることができ、従って本発明の保護範囲は、特許請求の範囲で指定した内容を基準とする。
【００１８】
【発明の効果】
本発明は、前記のような構成からなるので、ホストコンピュータがなくても、フラッシュメモリカードのデジタルデータをバックアップできるというすぐれた効果がある。
【図面の簡単な説明】
【図１】この発明の一実施の形態を示すブロック図である。
【符号の説明】
１０　ポータブル型データバックアップ装置
２０　フラッシュメモリ読み取り手段
２１　フラッシュメモリカード
３０　入力手段
４０　バックアップ手段
５０　制御手段
６０　再生手段
６２　イメージエンコーダ
６４　マルチメディアデコーダ
７０　リモートコントロール手段
【図１】
2004062850.tif 000003